(57)【特許請求の範囲】
【請求項１】
二つの外側面をつなぐ周縁面において、前記周縁面の中央部分に対して、前記周縁面の前記外側面に近い部分が外側に出っ張る構造を有するパネルと、
前記パネルを囲むように配置され、前記パネルが取り付けられる方向に延びる取付片を含むフレームと、
断面がＵ字形を有し、前記フレームの取付片の端縁に前記Ｕ字形の凹部が嵌合するように装着され、前記パネルの前記周縁面に挟み込まれるように接する弾性部材と、
前記弾性部材に接するように配置された前記パネルの前記周縁面と、前記弾性部材と、該弾性部材が装着された前記フレームの取付片との間を充填するように塗布された弾性を有するシール材とを備え、
前記パネルは、内側面と、前記内側面より外側に出っ張る前記外側面と、前記周縁面の一部をなす傾斜した傾斜面とを有する二枚のパネルで構成され、
前記二枚のパネルが、それぞれの前記内側面が接するように、かつ、それぞれの前記周縁面がなす該各傾斜面が対向すると共に該各傾斜面により前記フレームの取付片の端縁および前記弾性部材を挟むように配置された
パネル接合構造。
【請求項２】
パネルを囲むフレームに設けられた、前記パネルが取り付けられる方向に延びる取付片の端縁に、断面がＵ字形状を有する弾性部材を前記Ｕ字形状の凹部が嵌合するように装着し、
二つの外側面をつなぐ周縁面において、前記周縁面の中央部分に対して、前記周縁面の前記外側面に近い部分が外側に出っ張る構造をなす前記パネルを、前記周縁面が前記弾性部材と接するように配置し、
前記周縁面と、前記弾性部材と、該弾性部材が装着された前記フレームの取付片との間を、それぞれ充填するように弾性を有するシール材を塗布し、
前記パネルを、内側面と、前記内側面より外側に出っ張る前記外側面と、前記周縁面の一部をなす傾斜した傾斜面とを有する二枚のパネルを、前記二枚のパネルの各前記周縁面がなす各傾斜面が対向するように配置したのち、前記二枚のパネルの間をリベットで固定して構成する
パネル接合方法。
【発明の詳細な説明】
【技術分野】
【０００１】
本発明は、電子機器を収容する筐体等を構成するパネルの接合構造に関する。
【背景技術】
【０００２】
電子回路を内部に収容する筐体であって、外枠をなす形材（以降、「フレーム」とも称する）と、外枠内に配置されるパネルとを接合することにより形成される組み立て式の筐体がある。図９は、形材３とパネル２とを組み立ててなる筐体１の一例を示す斜視図である。筐体１は、図９に示すように三次元空間（Ｘ−Ｙ−Ｚ座標空間）に配置されていると仮定する。図９に示すような筐体１は、例えば屋外に設置されることを想定して、形材３とパネル２の組立接合部４の防水信頼性を向上する必要がある。
【０００３】
図１０は、図９におけるＡ−Ａ’線斜視断面図である。また図１１（ａ）は、図１０に示す組立接合部４の拡大図である。図１１（ｂ）は、図１１（ａ）に示す矢視Ｂからの拡大図である。防水信頼性を向上するため、図１１（ａ）に示す組立接合部４では、パネル２がその周縁面において傾斜状にカットされた構造を有する。
【０００４】
すなわち、パネル２は、その周縁面において、筐体１の内面側より外面側が外側に出っ張るように傾斜状にカットされた面（以降、「傾斜面７」と称する）をなす。そして、パネル２が、その傾斜面７が形材３から横方向（Ｘ方向）および縦方向（−Ｚ方向）に延びる取付片６に対向するように、取付片６上に配置されている。
【０００５】
さらに、図１１（ａ）に示すように、傾斜面７により生じる形材３の取付片６とパネル２との空間に、シール材８が塗布され、このシール材８が硬化することによりパネル２と形材３の取付片６とが接合される。また、パネル２と形材３の取付片６とを、図示しない穴を介してリベット等で固定してもよい。
【０００６】
上記の組立接合部４の構造により、筐体の防水信頼性を向上させることができる。
【０００７】
ここで、例えば、特許文献１には、二枚のガラス基板を互いに貼り合わせて構成されるプラズマディスプレイパネルにおいて、気密性を確保する技術が開示されている。
【０００８】
また、特許文献２には、ケース本体をなすフレームと、フレームを封止する蓋とを有し、フレームに蓋を熱硬化性接着剤にて接着し、閉塞空間を形成する密封ケースにおいて、封止穴を見栄えに影響しない取付面に配設する構成が開示されている。
【０００９】
また、特許文献３には、住宅等建築物に用いられる木質化粧床板などの床板の実部同士を接着剤を用いて接着する時に用いるのに好適な実部専用へらと、それを用いた床板の施工方法が開示されている。
【先行技術文献】
【特許文献】
【００１０】
【特許文献１】国際公開第２００９／１３３５９３号
【特許文献２】実開昭６３−０５７７８２号公報
【特許文献３】特開２００９−１６７６２０号公報
【発明の概要】
【発明が解決しようとする課題】
【００１１】
上述のように、図１１（ａ）に示すような形態で形材３およびパネル２を接合した場合、以下のような課題がある。ここで、図１２（ａ）に示すように、矢印で示す方向にパネル２に荷重が生じたと仮定する。図１２（ｂ）は、図１２（ａ）に示す矢視Ｃからの拡大図である。
【００１２】
図１１（ａ）、（ｂ）に示すようにパネル２と形材３（取付片６）とを接合した場合、形材３は、シール材８とリベット等により、パネル２に対して強固に固定されている。したがって、図１２（ａ）の矢印で示す方向に荷重が生じてパネル２が変形した場合、組立接合部４においてはシール材８が剥がれる方向に負荷がかかる。ここで、図１２（ａ）では、パネル２の変形前の外形を点線で示している。図１２（ｂ）では、荷重方向と同一の方向に、シール材８が引き剥がされる力がかかることを示している。
【００１３】
図１２（ｂ）に示すように、シール材８が弾性体であるとするとその弾性領域、および形材３とパネル２との接合強度限界を超えると、シール材８の破断、または形材３とパネル２との接合部の剥がれが生じる。
【００１４】
このように、形材３とパネル２との接合は、シール材８の破断強度および剥がれ強度に依存する。このため、外部からの印加荷重により形材３およびパネル２に歪が生じた場合、形材３およびパネル２の変形形態の差に起因して、シール材８の破断や剥がれ等が生じ、シール（防水等）機能が損なわれる虞があるという課題がある。
【００１５】
特許文献１乃至特許文献３には、外部からの印加荷重に起因するシール機能の低下に関する技術は開示されていない。
【００１６】
本願発明は、上記課題を鑑みてなされたものであり、外部からの印加荷重があっても、シール材の破断や剥がれ等の発生を防ぐことができるパネル接合構造等を提供することを主要な目的とする。
【課題を解決するための手段】
【００１７】
本発明の第１のパネル接合構造は、第１の面と、該第１の面に対向する第２の面と、前記第１の面の周囲と前記第２の面の周囲とをつなぐ周縁面とを有し、前記周縁面が、前記第２の面側より前記第１の面側が外側に出っ張る傾斜をなすパネルと、前記パネルを囲むように配置され、前記パネルが取り付けられる方向に延びる取付片を含むフレームと、前記フレームの取付片の端縁に装着された弾性部材と、前記弾性部材に接するように配置された前記パネルの前記周縁面と、前記弾性部材と、該弾性部材が装着された前記フレームの取付片との間を充填するように塗布されたシール材とを備え、二枚の前記パネルが、それぞれの前記周縁面によって前記フレームの取付片の端縁および前記弾性部材を挟むように配置される。
【００１８】
本発明の第１のパネル接合方法は、パネル取り付け領域を囲むフレームに設けられた、前記パネル取り付け領域の方向に延びる取付片の端縁に弾性部材を装着し、前記パネル取り付け領域に、第１の面と、該第１の面に対向する第２の面と、前記第１の面の周囲と前記第２の面の周囲とをつなぐ周縁面とを有し、前記周縁面が、前記第２の面側より前記第１の面側が外側に出っ張る傾斜をなす第１のパネルを、前記周縁面が前記弾性部材と接するように配置し、前記第１のパネルと同様の構造を有する第２のパネルを、前記第１のパネルおよび前記第２のパネルの各第２の面間が接するように、かつ前記第１のパネルおよび前記第２のパネルの各周縁面がなす各斜面が対向すると共に前記第２のパネルの前記周縁面が前記弾性部材と接するように配置し、前記第１のパネルの周縁面と、前記弾性部材と、該弾性部材が装着された前記フレームの取付片との間、および前記第２のパネルの周縁面と、前記弾性部材と、該弾性部材が装着された前記フレームの取付片との間を、それぞれ充填するようにシール材を塗布する。
【発明の効果】
【００１９】
本願発明によれば、外部からの印加荷重があっても、シール材の破断や剥がれ等の発生を防ぐことができる筐体を提供できるという効果が得られる。
【図面の簡単な説明】
【００２０】
【図１】本発明の第１の実施形態に係るフレーム付きパネルの斜視図である。
【図２】本発明の第１の実施形態に係るフレーム付きパネルの断面図である。
【図３】本発明の第１の実施形態に係るフレームとパネルの接合手順の一例について説明する図（ａ）乃至（ｅ）である。
【図４】本発明の第１の実施形態に係るフレームとパネルに荷重がかかった場合の構造について説明する図（ａ）、（ｂ）である。
【図５】本発明の第１の実施形態に係るフレームとパネルとの接合構造の他の例を示す図である。
【図６】本発明の第１の実施形態に係るフレームとパネルとの接合構造により組み立てられた筐体を示す図である。
【図７】本発明の第１の実施形態に係るフレームとパネルとの接合構造により組み立てられた筐体の斜視断面図である。
【図８】本発明の第２の実施形態に係るフレーム付きパネルの断面図である。
【図９】フレームとパネルとを組み立ててなる筐体の一例を示す斜視図である。
【図１０】フレームとパネルとの接合構造により組み立てられた筐体の一例の斜視断面図である。
【図１１】形材とパネルとの組立接合部の一例の拡大図（ａ）、（ｂ）である。
【図１２】形材とパネルに荷重が生じた場合の組立接合部の構造を示す図（ａ）と、その拡大図（ｂ）である。
【発明を実施するための形態】
【００２１】
以下、本発明の実施形態について図面を参照して詳細に説明する。
【００２２】
第１の実施形態
図１は、本発明の第１の実施形態に係るフレーム付きパネル１００の斜視図である。フレーム付きパネル１００は、パネル取り付け領域を囲む外枠となるフレーム１０１と、パネル取り付け領域を塞ぐようにフレーム１０１内に配置されたパネル１０２とが接合されることにより形成されている。フレーム付きパネル１００は、図１に示すように三次元空間（Ｘ−Ｙ−Ｚ座標空間）に配置されていると仮定する。
【００２３】
図２は、図１におけるＰ−Ｐ’線断面図である。図２に示すように、フレーム１０１とパネル１０２との組立接合部１１０は、フレーム１０１とパネル１０２とを接合するシール材１０３と、溝ゴム１０４とを備える。
【００２４】
フレーム１０１は、筐体の外枠をなす枠部１０１ａと、枠部１０１ａの側面の中央または略中央からパネル１０２の取り付け方向に延びる取付片１０１ｂとを備える。なお、取付片１０１ｂは、枠部１０１ａの側面の中央または略中央から延びる構造に限定されず、枠部１０１ａの側面の任意の位置から延びる構造を有する。
【００２５】
パネル１０２は、パネル取り付け領域を塞ぐようにフレーム１０１内に配置される。パネル１０２の上面を外側面１０２ａ、下面を内側面１０２ｂ、外側面１０２ａの周囲と内側面１０２ｂの周囲とをつなぐ面を周縁面とすると、パネル１０２は、その周縁面においてフレーム１０１の取付片１０１ｂに接合される。パネル１０２は、上側および下側に二枚配置される。なお、図２において、例えばＺ方向を「上」、（−Ｚ）方向を「下」と称する。
【００２６】
パネル１０２の周縁面は、外側面１０２ａ側が内側面１０２ｂ側よりも外側に出っ張るように傾斜状にカットされた構造を有する。傾斜状にカットされた面を、傾斜面１０２ｃと称する。
【００２７】
下側のパネル１０２も、上側のパネル１０２と同様の構造を有すると共に、それぞれのパネル１０２の傾斜面１０２ｃによって、溝ゴム１０４が装着された取付片１０１ｂの端縁を挟み込むように、下側のパネル１０２が配置されている。
【００２８】
シール材１０３は、硬化後に弾性を有する材料であって、パネル１０２の傾斜面１０２ｃと、取付片１０１ｂと、溝ゴム１０４との間に生じた空間を充填するように塗布されている。溝ゴム１０４は、例えばその断面がＵ字形を有する弾性の部材であって、取付片１０１ｂの端縁に密着するように装着される。
【００２９】
図３は、第１の実施形態に係るフレーム１０１およびパネル１０２の接合手順の一例について説明する図（ａ）乃至（ｅ）である。図３を参照して、フレーム１０１およびパネル１０２の接合手順について説明する。
【００３０】
まず、図３（ａ）に示すように、フレーム１０１の取付片１０１ｂの端縁に、溝ゴム１０４を装着する。続いて、図３（ｂ）に示すように、下側、すなわち図２に示した二枚のパネル１０２のうち下側のパネル１０２を、その傾斜面１０２ｃが取付片１０１ｂの端縁に装着された溝ゴム１０４に接するように配置する。
【００３１】
続いて、図３（ｃ）に示すように、上側のパネル１０２を、その傾斜面１０２ｃが下側のパネル１０２の傾斜面１０２ｃと対向するように、すなわち上側と下側のパネル１０２の傾斜面１０２ｃにより、溝ゴム１０４が装着された取付片１０１ｂの端縁を挟み込むように、配置する。このとき、上側のパネル１０２と下側のパネル１０２とを、図示しない穴を介してリベット等で固定したり、接着剤等で接着したりしてもよい。
【００３２】
そして、図３（ｄ）および（ｅ）に示すように、パネル１０２の傾斜面１０２ｃと、取付片１０１ｂの端縁と、溝ゴム１０４との間に生じた空間を充填するように、シール材１０３を塗布する。シール材１０３が硬化すると、フレーム１０１とパネル１０２とが接合する。上記手順により、フレーム１０１とパネル１０２とが接合される。
【００３３】
図４（ａ）は、図３に示した手順で接合されたフレーム１０１およびパネル１０２に荷重がかかった場合の構造について説明する図である。図４（ａ）の矢印に示す方向にパネル１０２に荷重が生じた場合、パネル１０２が変形する。ここで、図４（ａ）では、パネル１０２とフレーム１０１の変形前の外形を点線で示す。
【００３４】
このとき、パネル１０２の変形に追従してフレーム１０１の取付片１０１ｂも変形する。すなわち、矢印に示す方向にパネル１０２に荷重がかかると、図４（ｂ）に示すように、下側のパネル１０２がフレーム１０１の取付片１０１ｂを押し上げる。このように、本実施形態に係る組立接合部１１０では、フレーム１０１とパネル１０２は、リベット等により強固に固定されておらず、弾性を有する溝ゴム１０４およびシール材１０３によって接合されているので、パネル１０２またはフレーム１０１に歪みが生じた場合でも、それらは互いに柔軟に追従できる。したがって、シール材１０３が剥がれる方向に大きな負荷がかかるのを防ぐことができる。
【００３５】
図５は、枠部１０１ａから互いに直角をなす二方向に取付片１０１ｂを備えたフレーム１０１と、パネル１０２との接合構造を示す図である。図５に示すような組立接合部１１０により接合したフレーム１０１とパネル１０２とを用いて、例えば図６に示すような直方体の筐体２００を組み立てることができる。図７は、図６におけるＱ−Ｑ’線斜視断面図である。
【００３６】
なお、図５では、枠部１０１ａから互いに直角をなす二方向に延びる取付片１０１ｂを備えるフレームを示したが、この構造に限定されない。すなわち、枠部１０１ａから延びる取付片１０１ｂの方向を調整することにより、直方体に限らず、防水効果の高い種々の多面体をなす筐体を組み立てることもできる。
【００３７】
以上のように、本第１の実施形態によれば、フレーム１０１の取付片１０１ｂの端縁に溝ゴム１０４を装着し、傾斜面１０２ｃを設けたパネル１０２により、取付片１０１ｂの上下からその端縁を挟み込む。そして、傾斜面１０２ｃと溝ゴム１０４と取付片１０１ｂとの間を充填するようにシール材１０３を塗布することにより、フレーム１０１とパネル１０２とを接合する。
【００３８】
上記構成を採用することにより、本第１の実施形態によれば、パネル１０２およびフレーム１０１に印加荷重が生じた場合でも、パネル１０２およびフレーム１０１は互いに追従することができる。よって、シール材１０３の破断や剥がれ等の発生を防ぐことができるので、パネル１０２とフレーム１０１とのシール（防水）機能が損なわれることを防ぐことができるという効果が得られる。
【００３９】
また、本第１の実施形態によれば、フレーム１０１の取付片１０１ｂの端縁に溝ゴム１０４を装着し、また、硬化後に弾性を有するシール材１０３にてパネル１０２とフレーム１０１とを接合する。これにより、フレーム１０１とパネル１０２の間に弾性部材が介在するので、パネル１０２の共振時には、フレーム１０１とパネル１０２の減衰効果によりパネル１０２の振動を低減できる。その結果、本第１の実施形態によれば、パネル１０２の共振により発生する騒音等を低減することが可能となるという効果が得られる。
【００４０】
第２の実施形態
図８は、本発明の第２の実施形態に係るパネル接合構造３００の断面図である。図８に示すように、パネル接合構造３００は、パネル３１０と、フレーム３２０と、弾性部材（溝ゴム）３３０と、シール材３４０とを備える。
【００４１】
パネル３１０は、第１の面（外側面）に対向する第２の面（内側面）と、第１の面の周囲と第２の面の周囲とをつなぐ周縁面とを有し、周縁面が、第２の面側より第１の面側が外側に出っ張る傾斜をなす。
【００４２】
フレーム３２０は、パネル３１０を囲むように配置され、パネル３１０が取り付けられる方向に延びる取付片を含む。弾性部材３３０は、フレーム３２０の取付片の端縁に装着される。シール材３４０は、弾性部材３３０に接するように配置されたパネル３１０の周縁面と、弾性部材３３０と、弾性部材３３０が装着されたフレーム３２０の取付片との間を充填するように塗布される。
【００４３】
二枚のパネル３１０が、それぞれの周縁面によってフレーム３２０の取付片の端縁および弾性部材３３０を挟むように配置される。
【００４４】
上記構成を採用することにより、本第２の実施形態によれば、パネル３１０およびフレーム３２０に外部からの印加荷重があっても、それらは互いに追従できるので、シール材３４０の破断や剥がれ等の発生を防ぐことができるという効果が得られる。
【産業上の利用可能性】
【００４５】
本発明は、例えば、屋外にて風雨にさらされたり、搬送の際に振動や衝撃を受けたりする環境にて運用される筐体等に適用できる。例えば、災害地での通信装置の筐体や、医療機器の筐体等に適用できる。
【符号の説明】
【００４６】
１  筐体
２  パネル
３  形材
４  組立接合部
６  取付片
７  傾斜面
８  シール材
１００  フレーム付きパネル
１０１  フレーム
１０１ａ  枠部
１０１ｂ  取付片
１０２  パネル
１０２ｃ  傾斜面
１０３  シール材
１０４  溝ゴム
１１０  組立接合部
２００  筐体
３００  パネル接合構造
３１０  パネル
３２０  フレーム
３３０  弾性部材
３４０  シール材
【図１】
0006645798.tif 000002
【図２】
0006645798.tif 000003
【図３】
0006645798.tif 000004
【図４】
0006645798.tif 000005
【図５】
0006645798.tif 000006
【図６】
0006645798.tif 000007
【図７】
0006645798.tif 000008
【図８】
0006645798.tif 000009
【図９】
0006645798.tif 000010
【図１０】
0006645798.tif 000011
【図１１】
0006645798.tif 000012
【図１２】
0006645798.tif 000013